(57)【特許請求の範囲】
【請求項１】
デジタル放送を放送する放送センタと、
デジタル放送を視聴する顧客の情報を管理する顧客管理センタと、
放送センタから放送されるデジタル放送を受信可能であるとともに、前記顧客管理センタとの間でネットワークを通じた情報通信が可能な受信端末と、
前記受信端末との間で情報をやりとりするＩＣカードと、を備えたデジタル放送システムであって、
前記ＩＣカードが、前記顧客管理センタにおいて管理されている、顧客毎に発行されたマスタ鍵を格納するメモリと、電子通貨に関する情報を格納するメモリと、を有しており、
前記受信端末が、電子通貨の補充要求を前記ネットワークを介して前記顧客管理センタに送信する手段を有し、
前記顧客管理センタが、前記電子通貨の補充要求に従って、当該顧客のＩＣカードに補充するための電子通貨に関する補充情報を生成し、その補充情報を当該顧客のマスタ鍵を用いて暗号化する手段を有し、
前記放送センタが、暗号化された前記補充情報をデジタル放送に多重して放送する手段を有し、
前記受信端末が、受信したデジタル放送から前記補充情報を抽出して、前記ＩＣカードに引き渡す手段を有し、
前記ＩＣカードが、前記補充情報を前記マスタ鍵を用いて復号する復号手段と、復号された前記補充情報に基づいて、ＩＣカードの電子通貨の残高を書き換える電子通貨制御手段と、を有する
ことを特徴とするデジタル放送システム。
【請求項２】
前記受信端末が、前記ＩＣカードに格納されている電子通貨を利用するための電子通貨の利用要求を前記ネットワークを介して前記顧客管理センタに送信する手段を有し、
前記顧客管理センタが、前記電子通貨の利用要求に従って電子決済処理を実行する手段を有する
ことを特徴とする請求項１に記載のデジタル放送システム。
【請求項３】
前記電子通貨制御手段によって実行される電子通貨に関する処理を実現するためのプログラムが、前記放送センタからデジタル放送に多重されて送信される
ことを特徴とする請求項１または２に記載のデジタル放送システム。
【請求項４】
前記デジタル放送は、スクランブル解除のためのスクランブル鍵を暗号化した情報と、前記スクランブル鍵を復号するためのワーク鍵を暗号化した情報とを含み、
前記マスタ鍵は、前記ワーク鍵の暗号化及び復号を行うための鍵である
ことを特徴とする請求項１〜３のいずれかに記載のデジタル放送システム。
【請求項５】
デジタル放送を放送する放送センタと、
デジタル放送を視聴する顧客の情報を管理する顧客管理センタと、
放送センタから放送されるデジタル放送を受信可能であるとともに、前記顧客管理センタとの間でネットワークを通じた情報通信が可能な受信端末と、
前記受信端末との間で情報をやりとりするＩＣカードと、を備えたデジタル放送システムにおける電子通貨の処理方法であって、
前記ＩＣカードは、
前記顧客管理センタにおいて管理されている、顧客毎に発行されたマスタ鍵を格納するメモリと、
暗号化された情報を前記マスタ鍵を用いて復号する復号手段と、
電子通貨に関する情報を格納するメモリと、
電子通貨に関する処理を実行する電子通貨制御手段と、を有しており、
前記ＩＣカードに電子通貨を補充する場合に、
前記受信端末が、電子通貨の補充要求を前記ネットワークを介して前記顧客管理センタに送信し、
前記顧客管理センタが、前記電子通貨の補充要求に従って、当該顧客のＩＣカードに補充するための電子通貨に関する補充情報を生成し、その補充情報を当該顧客のマスタ鍵を用いて暗号化し、
前記放送センタが、暗号化された前記補充情報をデジタル放送に多重して放送し、
前記受信端末が、受信したデジタル放送から前記補充情報を抽出して、前記ＩＣカードに引き渡し、
前記復号手段が、前記補充情報を前記マスタ鍵を用いて復号し、
前記電子通貨制御手段が、復号された前記補充情報に基づいて、ＩＣカードの電子通貨の残高を書き換える
ことを特徴とするデジタル放送システムにおける電子通貨の処理方法。
【請求項６】
前記ＩＣカードに格納されている電子通貨を利用して電子決済を行う場合に、
前記受信端末が、電子通貨の利用要求を前記ネットワークを介して前記顧客管理センタに送信し、
前記顧客管理センタが、前記電子通貨の利用要求に従って電子決済処理を実行する
ことを特徴とする請求項５に記載のデジタル放送システムにおける電子通貨の処理方法。
【請求項７】
前記電子通貨制御手段によって実行される電子通貨に関する処理を実現するためのプログラムが、前記放送センタからデジタル放送に多重されて送信される
ことを特徴とする請求項５または６に記載のデジタル放送システムにおける電子通貨の処理方法。
【請求項８】
前記デジタル放送は、スクランブル解除のためのスクランブル鍵を暗号化した情報と、前記スクランブル鍵を復号するためのワーク鍵を暗号化した情報とを含み、
前記マスタ鍵は、前記ワーク鍵の暗号化及び復号を行うための鍵である
ことを特徴とする請求項５〜７のいずれかに記載のデジタル放送システムにおける電子通貨の処理方法。
【請求項９】
放送センタから放送されるデジタル放送を受信可能な受信端末であって、
デジタル放送を視聴する顧客の情報を管理する顧客管理センタとの間でネットワークを通じた情報通信を行う手段と、
前記顧客管理センタにおいて管理されている、顧客毎に発行されたマスタ鍵を格納するメモリ、暗号化された情報を前記マスタ鍵を用いて復号する復号手段、電子通貨に関する情報を格納するメモリ、及び、電子通貨に関する処理を実行する電子通貨制御手段、を有するＩＣカードと、を備え、
前記ＩＣカードに電子通貨を補充する場合に、
前記電子通貨制御手段によって生成された電子通貨の補充要求を前記顧客管理センタに送信し、
前記顧客管理センタが、前記電子通貨の補充要求に従って当該顧客のＩＣカードに補充するための電子通貨に関する補充情報を生成し、その補充情報を当該顧客のマスタ鍵を用いて暗号化し、前記放送センタが、暗号化された前記補充情報をデジタル放送に多重して放送したときに、そのデジタル放送を受信し、
受信したデジタル放送から前記補充情報を抽出して、前記ＩＣカードに引き渡し、
前記復号手段によって、前記補充情報を前記マスタ鍵を用いて復号し、
前記電子通貨制御手段によって、復号された前記補充情報に基づいて、ＩＣカードの電子通貨の残高を書き換える
ことを特徴とする受信端末。
【請求項１０】
前記ＩＣカードに格納されている電子通貨を利用して電子決済を行う場合に、
前記電子通貨制御手段によって生成された電子通貨の利用要求を前記顧客管理センタに送信する
ことを特徴とする請求項９に記載の受信端末。
【請求項１１】
前記電子通貨制御手段によって実行される電子通貨に関する処理を実現するためのプログラムが、前記放送センタからデジタル放送に多重されて送信される
ことを特徴とする請求項９または１０に記載の受信端末。
【請求項１２】
前記デジタル放送は、スクランブル解除のためのスクランブル鍵を暗号化した情報と、前記スクランブル鍵を復号するためのワーク鍵を暗号化した情報とを含み、
前記マスタ鍵は、前記ワーク鍵の暗号化及び復号を行うための鍵である
ことを特徴とする請求項９〜１１のいずれかに記載の受信端末。
【発明の詳細な説明】
【０００１】
【発明の属する技術分野】
本発明は、映像や音声信号を受信する受信端末において電子通貨決済を可能とするデジタル放送システム、デジタル放送システムにおける電子通貨の利用方法、受信端末、ＩＣカード、電子通貨の利用プログラム及び電子通貨の利用プログラムを記録したコンピュータ読み取り可能な記録媒体に関する。
【０００２】
【従来の技術】
携帯電話機と組み合わせて、電子商取引を行うＩＣカード用端末方式に関しては、例えば、特開２００１−１６７２３１号公報に記載されている。
【０００３】
【発明が解決しようとする課題】
上記従来技術には、携帯電話機等と組み合わせて通信回線を介して電子商取引を行うことのできる小型で携帯性に優れたＩＣカード用端末について述べられているが、電子商取引に必要な情報の提示方法、特に映像や音声、文字情報での情報提示、及び、これらと連動した電子通貨決済の実現方法に関しては何ら述べられていない。
【０００４】
また、この電子通貨決済を実現する為には専用のＩＣカード用端末を準備する必要がある。
【０００５】
本発明の目的は、安価に、匿秘性を保ちながら、電子通貨の授受、及び決済を行うことができるデジタル放送と連動したデジタル放送システム、デジタル放送システムにおける電子通貨の処理方法、受信端末、ＩＣカードを提供することにある。
【０００６】
加えて、既に市場にある受信端末を使用し利用者に新たな経済的負担を強いることなく、さらに双方向アプリケーションと連携させることにより円滑な電子通貨決済の環境を提供することにある。
【０００７】
【課題を解決するための手段】
上記目的を達成するため、本発明に係るデジタル放送システムは、
デジタル放送を放送する放送センタと、
デジタル放送を視聴する顧客の情報を管理する顧客管理センタと、
放送センタから放送されるデジタル放送を受信可能であるとともに、前記顧客管理センタとの間でネットワークを通じた情報通信が可能な受信端末と、
前記受信端末との間で情報をやりとりするＩＣカードと、を備えたデジタル放送システムであって、
前記ＩＣカードが、前記顧客管理センタにおいて管理されている、顧客毎に発行されたマスタ鍵を格納するメモリと、電子通貨に関する情報を格納するメモリと、を有しており、
前記受信端末が、電子通貨の補充要求を前記ネットワークを介して前記顧客管理センタに送信する手段を有し、
前記顧客管理センタが、前記電子通貨の補充要求に従って、当該顧客のＩＣカードに補充するための電子通貨に関する補充情報を生成し、その補充情報を当該顧客のマスタ鍵を用いて暗号化する手段を有し、
前記放送センタが、暗号化された前記補充情報をデジタル放送に多重して放送する手段を有し、
前記受信端末が、受信したデジタル放送から前記補充情報を抽出して、前記ＩＣカードに引き渡す手段を有し、
前記ＩＣカードが、前記補充情報を前記マスタ鍵を用いて復号する復号手段と、復号された前記補充情報に基づいて、ＩＣカードの電子通貨の残高を書き換える電子通貨制御手段と、を有することを特徴とする。
【０００８】
本発明のデジタル放送システムにおける電子通貨の処理方法は、
デジタル放送を放送する放送センタと、
デジタル放送を視聴する顧客の情報を管理する顧客管理センタと、
放送センタから放送されるデジタル放送を受信可能であるとともに、前記顧客管理センタとの間でネットワークを通じた情報通信が可能な受信端末と、
前記受信端末との間で情報をやりとりするＩＣカードと、を備えたデジタル放送システムにおける電子通貨の処理方法であって、
前記ＩＣカードは、
前記顧客管理センタにおいて管理されている、顧客毎に発行されたマスタ鍵を格納するメモリと、
暗号化された情報を前記マスタ鍵を用いて復号する復号手段と、
電子通貨に関する情報を格納するメモリと、
電子通貨に関する処理を実行する電子通貨制御手段と、を有しており、
前記ＩＣカードに電子通貨を補充する場合に、
前記電子通貨制御手段が、電子通貨の補充要求を前記受信端末を介して前記顧客管理センタに送信し、
前記顧客管理センタが、前記電子通貨の補充要求に従って、当該顧客のＩＣカードに補充するための電子通貨に関する補充情報を生成し、その補充情報を当該顧客のマスタ鍵を用いて暗号化し、
前記放送センタが、暗号化された前記補充情報をデジタル放送に多重して放送し、
前記受信端末が、受信したデジタル放送から前記補充情報を抽出して、前記ＩＣカードに引き渡し、
前記復号手段が、前記補充情報を前記マスタ鍵を用いて復号し、
前記電子通貨制御手段が、復号された前記補充情報に基づいて、ＩＣカードの電子通貨の残高を書き換えることを特徴とする。
【０００９】
本発明の受信端末は、
放送センタから放送されるデジタル放送を受信可能な受信端末であって、
デジタル放送を視聴する顧客の情報を管理する顧客管理センタとの間でネットワークを通じた情報通信を行う手段と、
前記顧客管理センタにおいて管理されている、顧客毎に発行されたマスタ鍵を格納するメモリ、暗号化された情報を前記マスタ鍵を用いて復号する復号手段、電子通貨に関する情報を格納するメモリ、及び、電子通貨に関する処理を実行する電子通貨制御手段、を有するＩＣカードと、を備え、
前記ＩＣカードに電子通貨を補充する場合に、
前記電子通貨制御手段によって生成された電子通貨の補充要求を前記顧客管理センタに送信し、
前記顧客管理センタが、前記電子通貨の補充要求に従って当該顧客のＩＣカードに補充するための電子通貨に関する補充情報を生成し、その補充情報を当該顧客のマスタ鍵を用いて暗号化し、前記放送センタが、暗号化された前記補充情報をデジタル放送に多重して放送したときに、そのデジタル放送を受信し、
受信したデジタル放送から前記補充情報を抽出して、前記ＩＣカードに引き渡し、
前記復号手段によって、前記補充情報を前記マスタ鍵を用いて復号し、
前記電子通貨制御手段によって、復号された前記補充情報に基づいて、ＩＣカードの電子通貨の残高を書き換えることを特徴とする。
【００１１】
上記各発明において、
前記ＩＣカードに格納されている電子通貨を利用して電子決済を行う場合に、
前記受信端末が、電子通貨の利用要求を前記ネットワークを介して前記顧客管理センタに送信し、
前記顧客管理センタが、前記電子通貨の利用要求に従って電子決済処理を実行するとよい。
【００１２】
上記各発明において、
前記電子通貨制御手段によって実行される電子通貨に関する処理を実現するためのプログラムが、前記放送センタからデジタル放送に多重されて送信されるとよい。
【００１３】
上記各発明において、
前記デジタル放送は、スクランブル解除のためのスクランブル鍵を暗号化した情報と、前記スクランブル鍵を復号するためのワーク鍵を暗号化した情報とを含み、
前記マスタ鍵は、前記ワーク鍵の暗号化及び復号を行うための鍵であることが好ましい。
【００４７】
【発明の実施の形態】
以下に図面を参照して、この発明の好適な実施の形態を例示的に詳しく説明する。ただし、この実施の形態に記載されている構成部品の寸法、材質、形状、その相対配置などは、特に特定的な記載がない限りは、この発明の範囲をそれらのみに限定する趣旨のものではない。
【００４８】
また、以下の図面において、既述の図面に記載された部材と同様の部材には同じ番号を付す。また、以下に説明する本発明に係るデジタル放送システムの実施形態の説明は、本発明に係るデジタル放送システムにおける電子通貨の利用方法、受信端末、ＩＣカード、電子通貨の利用プログラム及び電子通貨の利用プログラムを記録したコンピュータ読み取り可能な記録媒体の実施形態の説明を兼ねる。
【００４９】
（デジタル放送システムの一実施形態）
本発明に係るデジタル放送システムの一実施形態について図１を参照して説明する。
【００５０】
図１は、一般家庭に設置されているデジタル放送の受信端末１３０と、電子通貨を伝送するデジタル衛星放送装置等を含むデジタル放送システムの全体構成を示す図であり、本発明に係るデジタル放送システムの一実施形態の全体構成図である。図１に示されるデジタル放送システムは、放送衛星を用いるデジタル衛星放送システムを一例に説明するが、本発明に係るデジタル放送システムはデジタル衛星放送システムに限定されるものではなく、他の伝送媒体を用いて又は放送衛星と組み合わせてデジタル放送をなすこともできる。
【００５１】
図１において、１００は放送センタ、１１０は放送衛星、１２０はパラボラアンテナ、１３０は受信端末、１４０はテレビ、１５０はＩＣカード、１６０は公衆電話回線網、１７０は顧客管理センタ、１８０は金融機関である。
【００５２】
まず、図１を用いて受信端末と、これに電子通貨を伝送するデジタル衛星放送システムの動作の概略について説明する。
【００５３】
受信端末１３０は放送センタ１００から送出された放送波を放送衛星１１０を介して受信し、圧縮されている映像や音声を伸長再生し、テレビ１４０に対し出力する。
【００５４】
本発明を適用したデジタル放送システムでは、チャンネル単位、番組単位、一連の番組単位などで課金することができ、その視聴契約情報はＩＣカード１５０に記憶されており、視聴契約がなされている場合、ＩＣカード１５０から解読鍵が出力されスクランブルが解除され受信端末１３０で視聴が可能となる。
【００５５】
また、番組単位、一連の番組単位での課金の場合、その視聴記録はＩＣカード１５０に記憶され、受信端末１３０に内蔵されたモデムを使って、公衆電話回線網１６０を介して顧客管理センタ１７０に送信することによって受信端末１３０を所有する視聴者に対して課金することができる。
【００５６】
また、顧客管理センタ１７０は銀行やクレジットカード会社等の金融機関１８０と接続されており、口座引き落としやクレジットカード決済を用いて視聴料を精算することができる。
【００５７】
さらに、視聴契約等の顧客情報の一部を含む個別情報は放送センタ１００に送られ、この個別情報は放送衛星１１０を介して受信端末１３０に挿入されたＩＣカード１５０に送り込まれることで、例えば、視聴契約の変更などの処理を完了することができる。
【００５８】
次に、図１に示した放送センタ１００及び顧客管理センタ１７０の内部の構成について図２を参照して説明する。図２は、図１に示した放送センタ１００及び顧客管理センタ１７０の内部構成を示すブロック図である。
【００５９】
図２において、１００は図１に示した放送センタ、１７０は図１に示した顧客管理センタ、１８０は図１に示した金融機関、２００はビデオサーバ、２１０は圧縮装置、２２０は多重化装置、２２１は番組情報生成装置である。
【００６０】
また、２２２は双方向データサーバ、２３０は暗号化装置、２４０は変調装置、２５０は放送波出力端子、２６０は公衆回線接続端子、２７０は受信サーバ、２８０は顧客情報管理装置、２９０は個別情報生成装置、３００は暗号化情報生成装置、３１０は暗号鍵、３２０は共通暗号化情報、３３０は個別暗号化情報である。
【００６１】
図２を用いて、放送センタ１００が番組及びこれに付随した情報を送出する動作について説明する。
【００６２】
番組の素材は、例えば、デジタルＶＴＲで編集された後、放送センタ１００内のビデオサーバ２００に一度蓄積される。
【００６３】
ビデオサーバ２００から再生された映像と音声は、圧縮装置２１０で、例えば、映像はＭＰＥＧ２（Ｍｏｔｉｏｎ  Ｐｉｃｔｕｒｅｓ  Ｃｏｄｉｎｇ  Ｇｒｏｕｐ  ｐｈａｓｅ  ２）規格で圧縮処理され、同時に音声信号は、例えば、ＭＰＥＧ１（Ｍｏｔｉｏｎ  Ｐｉｃｔｕｒｅｓ  Ｃｏｄｉｎｇ  Ｇｒｏｕｐ  ｐｈａｓｅ  １）のＬａｙｅｒ２規格で圧縮処理される。
【００６４】
ここには複数のビデオサーバ２００と複数の圧縮装置２１０があり他の番組も並行して処理される。番組情報生成装置２２１は電子番組表の情報を生成し、所定のフォーマットでパケット化し出力する。
【００６５】
個別情報生成装置２９０は、顧客情報管理装置２８０から出力される顧客情報をもとに、個別情報を生成する。
【００６６】
暗号化情報生成装置３００は、顧客情報管理装置２８０が出力する顧客情報及び個別情報生成装置２３０が出力する個別情報とから個別暗号化情報３３０を生成し、また、共通暗号化情報３２０、暗号鍵３１０を生成する。
【００６７】
多重化装置２２０は、複数の圧縮装置２１０から入力される圧縮映像信号や圧縮音声信号と、番組情報生成装置２２１から入力される電子番組情報と、双方向データサーバ２２２から入力される電子通貨決済を実現させるアプリケーションプログラムと、暗号化情報生成装置３００から入力される個別暗号化情報３３０と暗号化情報３２０とを、例えば、ＭＰＥＧ２のトランスポートストリーム形式で多重化する。
【００６８】
暗号化装置２３０は、もし、有料放送の場合である場合、暗号化情報生成装置３００が生成する暗号鍵３１０を使って、多重化装置２２０で多重化されたトランスポートストリームを暗号化して出力する。
【００６９】
さらに、変調装置２４０は、暗号化装置２３０によって暗号化されたトランスポートストリームに対し、例えば、Ｒｅｅｄ−Ｓｏｌｏｍｏｎ符号の付加、同期反転、インターリーブ、エネルギー拡散、ＱＰＳＫ（Ｑｕａｄｒａｔｕｒｅ  Ｐｈａｓｅ  Ｓｈｉｆｔ  Ｋｅｙｉｎｇ）変調等一連のＤＶＢ−Ｓ（Ｄｉｇｉｔａｌ  Ｖｉｄｅｏ  Ｂｒｏａｄｃａｓｔｉｎｇ−Ｓａｔｅｌｌｉｔｅ）規格に則った方式で変調処理し、放送局１００の屋上に設置されたアンテナから放送衛星１１０に対しアップリンクさせる。
【００７０】
一方、顧客管理センタ１７０では、公衆回線接続端子２６０で公衆電話回線網１６０と接続されており、公衆電話回線網１６０に接続されている各受信端末１３０から、各受信端末１３０のＩＣカード１５０内に記憶されている視聴記録や電子通貨の決済情報が送信されて来る。
【００７１】
顧客管理センタ１７０内の受信サーバ２７０は受信端末１３０から送信されて来る視聴記録や電子通貨の決済情報を受信する。
【００７２】
この信号はパケット化され暗号化されているので、受信サーバ２７０はこれを暗号化情報生成装置３００が生成したＩＣカード毎の暗号鍵（マスタ鍵）３４５を用いて解読する。
【００７３】
そして、受信サーバ２７０は、この信号中にパケット化されている情報、例えば、ＩＣカード番号、視聴日時や視聴金額等の視聴記録、電子通貨の送金要求、口座番号、暗証番号、支払い先、支払い金額、購入品名、購入数等の電子通貨の決済情報を抽出し、顧客情報管理装置２８０の顧客データベースに登録する。
【００７４】
これを受けて、銀行やクレジットカード会社等の金融機関１８０と専用線で接続されている個別情報生成装置２９０は顧客情報管理装置２８０を参照し、視聴記録である場合、ＩＣカード番号毎に集計して、例えば、月一回、金融機関１８０に口座振替やクレジットカード引き落としの方法で、請求する。
【００７５】
（電子通貨の決済）
また、電子通貨の決済を行う場合、即座に、または、一日にまとめて、電子通貨の送金要求、口座番号、暗証番号、支払い先、支払い金額、購入品名、購入数等の電子通貨の決済情報を金融機関１８０に転送する。
【００７６】
（電子通貨の送信要求）
電子通貨の送金要求（ＩＣカードへの電子通貨の補充要求）の場合、個別情報生成装置２９０は、ＩＣカード暗号、口座番号、暗証番号が一致し、口座残金があり、正しく、認証された場合、金融機関１８０から電子通貨を受け取る。ここで、本発明にいう電子通貨の補充の意味には、所定の一定金額に不足した場合になす補充の意味の他に、所定の一定金額に対する不足の有無に関わらず電子通貨を追加する意味も含む。
【００７７】
そして、個別情報生成装置２９０は、顧客情報管理装置２８０が出力する顧客情報と金融機関１８０から受け取った電子通貨をＩＣカード番号毎に関連付け、それぞれの個別情報を生成する。
【００７８】
暗号化情報生成装置３００は、顧客情報管理装置２８０が出力する顧客情報及び個別情報生成装置２９０が出力する個別情報とから個別暗号化情報３３０を生成し、また、共通暗号化情報３２０、暗号鍵（スクランブル鍵）３１０を生成する。
【００７９】
ここで、図２に示される各装置はそれぞれ、例えばＣＰＵが記憶装置に記憶されているプログラムと協働することによりその機能が実現されるとしても良い。この場合、図２に示される放送センタ１００や顧客管理センタ１７０の各装置の機能を実現したコンピュータやサーバが、図２に示される放送センタ１００や顧客管理センタ１７０を構成する。
【００８０】
また、図２に示される、放送センタ１００が備える変調装置２４０及び顧客管理センタ１７０が備える受信サーバ２７０以外の各装置は、図２に示されるようにそれぞれが放送センタ１００及び顧客管理センタ１７０に備えられている場合に限定するものではなく、上記各装置は、放送センタ１００及び顧客管理センタ１７０の少なくともいずれか一方に備えられているとして良い。
【００８１】
次に、図３を用いて図２に示す暗号化情報生成装置３００の動作について説明する。図３は、図２に示される暗号化情報生成装置３００の内部構成を示すブロック図である。
【００８２】
図３において、２２０は図２に示した多重化装置、２３０は図２に示した暗号化装置、２７０は図２に示した受信サーバ、２８０は図２に示した顧客情報管理装置、２９０は図２に示した個別情報生成装置、３００は図２に示した暗号化情報生成装置、３１０は図２に示した暗号鍵（スクランブル鍵）、３２０は図２に示した共通暗号化情報である。
【００８３】
また、３３０は図２に示した個別暗号化情報、３４０はマスタ鍵生成装置、３４５はマスタ鍵、３５０はＥＭＭ（Ｅｎｔｉｔｌｅｍｅｎｔ  Ｍａｎａｇｅｍｅｎｔ  Ｍｅｓｓａｇｅ）多重化装置、３６０はＥＭＭ暗号化装置、３７０はワーク鍵生成装置、３８０はスクランブル鍵生成装置、３９０はＥＣＭ（Ｅｎｔｉｔｌｅｍｅｎｔ  Ｃｏｎｔｒｏｌ  Ｍｅｓｓａｇｅ）暗号化装置である。
【００８４】
まず、暗号化情報生成装置３００のマスタ鍵生成装置３４０では、例えば、顧客情報管理装置２８０から出力された顧客情報の中に含まれるＩＣカード番号を元にマスタ鍵（Ｋｍ）３４５を発行する。
【００８５】
このマスタ鍵（Ｋｍ）３４５は受信端末１３０に挿入されたＩＣカード１５０内のメモリ上にも記憶されており、ＩＣカード１５０毎に異なるマスタ鍵をそれぞれ記憶している。
【００８６】
また、ワーク鍵生成装置３７０はワーク鍵（Ｋｗ）を発行する。ＥＭＭ多重化装置３５０は、個別情報生成装置２３０において顧客情報管理装置２８０が出力する顧客情報と金融機関１８０から受け取った電子通貨をＩＣカード番号毎に紐付けしたそれぞれの個別情報と、ワーク鍵生成装置３７０で発行されたワーク鍵（Ｋｗ）を多重化しＥＭＭメッセージとして出力する。
【００８７】
顧客情報管理装置２８０が出力する顧客情報には、Ｐａｙ  Ｐｅｒ  Ｖｉｅｗ等の視聴に関する制御情報や視聴者に対する視聴契約手続き完了のお知らせ等、各個人に対するメッセージが含まれている。
【００８８】
一方、金融機関１８０から受け取った電子通貨には、例えば、電子通貨そのものの他、口座番号、暗証番号、口座残金等の情報も含まれ暗号化されている。ここでの暗号化は、金融機関１８０とＩＣカード１５０内の電子通貨制御装置６４０との間で取り決められた暗号方式と暗号化鍵とにより暗号化されている。したがって、この暗号化は、電子通貨制御装置６４０により復号することができる。
【００８９】
ＥＭＭ暗号化装置３６０は、ＥＭＭ多重化装置３５０で多重化されたＥＭＭメッセージを、マスタ鍵生成装置３４０が発行したマスタ鍵（Ｋｍ）３４５を使って暗号化し、個別暗号化情報３３０として出力する。
【００９０】
スクランブル鍵生成装置３８０はスクランブル鍵（Ｋｓ）を発行し出力する。図２に示した暗号化装置２３０で使用する暗号鍵３１０として、このスクランブル鍵（Ｋｓ）を使用する。
【００９１】
ＥＣＭ暗号化装置３９０はスクランブル鍵生成装置３８０で発行されたスクランブル鍵（Ｋｓ）を、ワーク鍵生成装置３７０で発行したワーク鍵（Ｋｗ）で暗号化して、共通暗号化情報３２０として出力する。
【００９２】
これらの共通暗号化情報３２０や電子通貨を含む個別暗号化情報３３０は、図２に示した多重化装置２２０で、圧縮映像情報や圧縮音声情報と同時に多重化され衛星回線を介し、各受信端末１３０へと伝送される。
【００９３】
ここで、図３に示される各装置のそれぞれの機能を、ＣＰＵが記憶装置に記憶されたプログラムと協働することにより実現するとしても良い。
【００９４】
次に、図１に示される受信端末について図４を参照して説明する。図４は、図１に示す受信端末１３０の内部構成を示すブロック図である。
【００９５】
図４において、１３０は図１に示した受信端末、１５０は図１に示したＩＣカード、４００はマイコン、４１０はキー、４２０はＬＥＤ、４３０はリモコン、４４０はＲＡＭやＲＯＭからなるメモリ、４５０はフラッシュメモリ、４６０はシステムバス、４７０はチューナ、４８０はデスクランブラ、５００はトランスポートデコーダ、５１０はＭＰＥＧ２デコーダ、５２０はオーディオＤＡＣ（Ｄｉｇｉｔａｌ  ｔｏ  Ａｎａｌｏｇ  Ｃｏｎｖｅｒｔｅｒ）、５３０はビデオエンコーダ、５４０はアンテナ入力端子、５５０は音声出力端子、５６０は映像出力端子、５７０はモデム、５８０は回線接続端子である。
【００９６】
まず、図１に示したパラボラアンテナ１２０で放送衛星１１０からの放送波を受信した受信端末１３０は、アンテナ入力端子５４０を介して受信信号をチューナ４７０に取り込む。
【００９７】
チューナ４７０は、例えば、ＱＰＳＫ復調、逆エネルギー拡散、デインターリーブ、同期反転、Ｒｅｅｄ−Ｓｏｌｏｍｏｎ符号検査等一連のＤＶＢ−Ｓ規格に則った方式で復調処理し、暗号化されたままのトランスポートストリームを出力する。
【００９８】
暗号化されたままのトランスポートストリームは、デスクランブラ４８０を介してトランスポートデコーダ５００に一度入力される。
【００９９】
視聴者によってキー４１０または、リモコン４３０によって選局動作が指定された場合、マイコン４００はトランスポートデコーダ５００に対し、指定したＰＩＤ（Ｐａｃｋｅｔ  ＩＤｅｎｔｉｆｉｃａｔｉｏｎ）のＴＳパケットのみをフィルタリングするよう、システムバス４６０を介し指示する。
【０１００】
まず、トランスポートデコーダ５００は暗号鍵の含むＴＳパケット、つまり、図３で示した共通暗号化情報３２０や個別暗号化情報３３０の情報を伝送するＴＳパケットをフィルタリングする。そして、マイコン４００は、このＴＳパケットのペイロードに含まれる共通暗号化情報３２０や個別暗号化情報３３０を抽出し、ＩＣカード１５０に設定する。
【０１０１】
ここで、図５を用いて図１に示されるＩＣカード１５０の内部処理動作について説明する。図５は、図１に示されるＩＣカード１５０の内部構成を示すブロック図である。
【０１０２】
図５において、１５０は図１に示したＩＣカード、３１０は図２に示した暗号鍵、３２０は図２に示した共通暗号化情報、３３０は図２に示した個別暗号化情報、４００は図４に示したマイコン、４８０は図４に示したデスクランブラ、５００は図４に示したトランスポートデコーダ、６００はシリアルＩ／Ｆ（Ｉｎｔｅｒｆａｃｅ）、６１０はＥＣＭ復号装置、６２０はＥＭＭ復号装置、６３１はメモリ６３０に格納されているマスタ鍵（Ｋｍ）、６４０は電子通貨制御装置、６４１は電子通貨に関する情報を格納するメモリ、６５０は契約情報制御装置、６５１は契約情報に関する情報を格納するメモリ、６６０は視聴契約判定装置である
【０１０３】
上記メモリ６３０、６４１、６５１は、例えばＲＡＭやＲＯＭなどから構成される。また、メモリ６３０には、ＩＣカードにおいて利用される各種プログラムを記録するとしても良い。また、上記メモリ６３０、６４１、６５１は、図５においては別々の部材として記載されているが、本実施形態では、上記メモリ６３０、６４１、６５１を１個、２個のメモリにより実現したり又は４個以上のメモリにより実現するとしても良い。
【０１０４】
まず、マイコン４００は、共通暗号化情報３２０や個別暗号化情報３３０をＴＳパケットのペイロードから抽出し、ＩＣカード１５０に設定する。シリアルＩ／Ｆ６００を介し、共通暗号化情報３２０はＥＣＭ復号装置６１０へ、個別暗号化情報３３０はＥＭＭ復号装置６２０へそれぞれ転送される。
【０１０５】
ＥＭＭ復号装置６２０に入力された個別暗号化情報３３０は、各ＩＣカード１５０内のメモリに保持されているマスタ鍵（Ｋｍ）６３１を用いて暗号化された個別情報を復号する。
【０１０６】
このマスタ鍵（Ｋｍ）６３１は各ＩＣカード１５０毎に、それぞれ異なるので、図３に示した暗号化情報生成装置３００内のマスタ鍵生成装置３４０で発行されたマスタ鍵（Ｋｍ）３４５と一致した場合のみ、個別情報を復号することができる。
【０１０７】
個別情報が復号された場合、ＥＭＭ復号装置６２０は復号した個別情報の中から、ワーク鍵（Ｋｗ）、契約情報と電子通貨に関する情報を抽出し、それぞれＩＣカード１５０内のメモリ６５１、６４１に保存する。
【０１０８】
契約情報にはＰａｙ  Ｐｅｒ  Ｖｉｅｗ等の視聴に関する制御情報や視聴者に対する視聴契約手続き完了のお知らせ等、各個人に対するメッセージが含まれている。
【０１０９】
一方、電子通貨に関する情報は、例えば、電子通貨そのものの他、口座番号、暗証番号、口座残金等の情報も含み暗号化されている。この暗号化は前述のように、金融機関１８０とＩＣカード１５０内の電子通貨制御装置６４０との間で取り決められた暗号方式と暗号化鍵とによりなされた暗号化である。したがって、この暗号化は、電子通貨制御装置６４０により復号することができる。
【０１１０】
また、ＥＭＭ復号装置６２０で復号、抽出されたワーク鍵（Ｋｗ）は、ＥＣＭ復号装置６１０に入力される。
【０１１１】
ＥＣＭ復号装置６１０はシリアルＩ／Ｆ６００を介してマイコン４００から転送されてきた共通暗号化情報３２０を、ＥＭＭ復号装置６２０で抽出されたワーク鍵（Ｋｗ）を使って復号し、スクランブル鍵（Ｋｓ）を抽出する。
【０１１２】
視聴契約判定装置６６０は、契約情報を参照し、ＥＣＭ復号装置６１０で復号されたスクランブル鍵（Ｋｓ）を通過させるか否かの判定を行い、番組の視聴契約がなされている場合、スクランブル鍵（Ｋｓ）を通過させ、シリアルＩ／Ｆ６００を介し、マイコン４００へ転送する。
【０１１３】
マイコン４００はこのスクランブル鍵（Ｋｓ）をシステムバス４６０を介しデスクランブラ４８０に設定することで、特定のＰＩＤを持つ暗号化されたＴＳパケットを復号する。
【０１１４】
この特定のＰＩＤの中には圧縮映像情報が含まれるＴＳパケット、圧縮音声情報が含まれるＴＳパケットがあり、トランスポートデコーダ５００はこれらから、圧縮映像情報、圧縮音声情報を再構成し、ＭＰＥＧ２デコーダ５１０に対し出力する。
【０１１５】
そして、ＭＰＥＧ２デコーダ５１０はトランスポートデコーダ５００から入力された圧縮映像情報、圧縮音声情報をＭＰＥＧ２デコーダ５１０内のビデオデコーダ、オーディオデコーダに、それぞれ入力し、伸長処理を行う。
【０１１６】
また、これらに含まれる時間情報をもとに、ＭＰＥＧ２デコーダ５１０内のビデオデコーダ、オーディオデコーダを制御して、映像と音声の出力の時間を調整し、映像と音声の同期をとる。
【０１１７】
ＭＰＥＧ２デコーダ５１０は伸長処理したデジタル映像信号をビデオエンコーダ５３０に対し出力する。
【０１１８】
ビデオエンコーダ５３０は入力されたデジタル映像信号は、例えば、ＮＴＳＣ（Ｎａｔｉｏｎａｌ  Ｔｅｌｅｖｉｓｉｏｎ  Ｓｔａｎｄａｒｄ  Ｃｏｍｍｉｔｔｅｅ）形式のアナログ信号に変換され、映像出力端子５６０を介して図１に示したテレビ１４０へ入力される。
【０１１９】
同様に、ＭＰＥＧ２デコーダ５１０は伸長処理したデジタル音声信号をオーディオＤＡＣ５２０に対し出力する。
【０１２０】
オーディオＤＡＣ５２０は、例えば、２チャンネルのアナログ信号に変換し、音声出力端子５５０を介して図１に示したテレビ１４０へ入力される。
【０１２１】
一方、電子通貨決済を実現するアプリケーションプログラムや電子番組情報等を含むＴＳパケットについては、マイコン４００がトランスポートデコーダ５００でフィルタリングしたこれらのＴＳパケットをシステムバス４６０を介してメモリ４４０にＤＭＡ（Ｄｉｒｅｃｔ  Ｍｅｍｏｒｙ  Ａｃｃｅｓｓ）転送する。
【０１２２】
キー４１０やリモコン４３０によって、視聴者から電子番組情報を表示の指示を受けた場合、マイコン４００は、メモリ４４０内にキャッシュされたデータの中から電子番組情報等を抽出し、ＭＰＥＧ２デコーダ５１０内のスクリーンバッファにＯＳＤ（Ｏｎ  Ｓｃｒｅｅｎ  Ｄｉｓｐｌａｙ）用の画像イメージを展開し、ＭＰＥＧ２デコーダのグラフィックエンジンを制御して、伸長処理した映像とＯＳＤを重ね合わせて表示させる。
【０１２３】
キー４１０やリモコン４３０によって、視聴者から電子通貨取引の指示を受けた場合、マイコン４００は、メモリ４４０内にキャッシュされたデータの中から電子通貨決済を実現するアプリケーションプログラムを抽出し、これを解析しアプリケーションプログラムを実行する。
【０１２４】
その結果、マイコン４００は、ＭＰＥＧ２デコーダ５１０内のスクリーンバッファにＯＳＤ用の画像イメージを展開し、ＭＰＥＧ２デコーダ５１０のグラフィックエンジンを制御して、伸長処理した映像とＯＳＤを重ね合わせて表示させる。
【０１２５】
また、マイコン４００は、ＯＳＤ上にソフトウェアのボタンを表示しカーソルを表示し、キー４１０とリモコン４３０を入力待ちに制御して、視聴者の入力操作によって発生したイベントに従って、アプリケーションプログラムを実行し、電子通貨決済を実行する。
【０１２６】
その電子取引結果に応じて、モデム５７０を制御して結果を顧客管理センタ１７０内の受信サーバ２７０へ電子取引結果をアップロードする。
【０１２７】
ここで、図５に示されるＩＣカード内の各装置の動作は、ＣＰＵがメモリに記憶されたプログラムと協働することにより実現されるとしても良い。
【０１２８】
（電子通貨による決済動作）
次に、図６を用いて、本発明に係るデジタル放送システムの一実施形態におけるアプリケーションプログラムによる電子通貨決済の実行動作を説明する。図６は、本発明に係るデジタル放送システムの一実施形態において、アプリケーションプログラムによる電子通貨決済の実行動作を示す動作概略図である。
【０１２９】
図６において、７００は通常のテレビ映像、７１０及び７４０、７６０はテレビ映像に連動した双方向アプリケーションによって表示された画像、７２０はボタン、７３０は選択されたボタン、７５０は暗証番号入力欄である。
【０１３０】
図６では、テレビ通信販売のコンテンツが通常のテレビ映像７００で流されている場合を例にあげて説明する。
【０１３１】
このテレビ通信販売では、例えば図６の（ａ）のように、本を売っている映像音声が流れていたとする。
【０１３２】
この時、図１に示した放送センタ１００内の双方向データサーバ２２２によって、テレビ映像に連動した双方向アプリケーションが送出されていた場合、受信端末１３０内のマイコン４００はこれを検出しトランスポートデコーダ５００を制御して、トランスポートデコーダ５００でフィルタリングしたこれらのＴＳパケットをシステムバス４６０を介してメモリ４４０にＤＭＡ転送する。
【０１３３】
そして、マイコン４００はメモリ４４０からアプリケーションプログラムを抽出し、これを解析しアプリケーションプログラムを実行する。
【０１３４】
その結果、マイコン４００はＭＰＥＧ２デコーダ５１０内のスクリーンバッファにＯＳＤ用の画像イメージ、例えば、テレビ映像に連動した双方向アプリケーションを展開し、ＭＰＥＧ２デコーダ５１０のグラフィックエンジンを制御して、伸長処理した映像とこのＯＳＤを重ね合わせて、テレビにこのアプリケーションによる画像７１０を表示させる。
【０１３５】
このテレビ映像に連動した双方向アプリケーションの画像７１０には商品情報及び価格情報が含まれている。また、ボタン７２０が表示される。
【０１３６】
このテレビ映像に連動した双方向アプリケーションはキー４１０とリモコン４３０を入力待ちに制御して、視聴者の入力操作によって発生したイベントに従って、カーソルを移動させたり、次の画面へ遷移したり、アプリケーションプログラムを実行する。
【０１３７】
なお、図６中の選択されたボタン７３０はカーソルで選択された状態にあるボタンを示す。
【０１３８】
例えば、カーソルをＹｅｓに移動すると、Ｙｅｓと表示されたボタンが選択された状態になり、視聴者がキー４１０とリモコン４３０の決定キーを押すことで確定され、図６の（ｂ）に示される次の画面に遷移する。
【０１３９】
例えば「この本買いますか？￥２０００です。」という質問に関し、Ｙｅｓのボタン７２０を選択し決定ボタンで確定すると、次の画面に遷移する。
【０１４０】
次に電子通貨取引の暗証番号を確認する画面７４０が表示される。視聴者は暗証番号入力欄７５０に、暗証番号を入力する。
【０１４１】
そして、マイコン４００はＩＣカード１５０内にある電子通貨制御装置６４０に暗証番号を転送する。
【０１４２】
電子通貨制御装置６４０は、認証を行い電子通貨決済可能な状態にあるか、残高はあるかをチェックする。
【０１４３】
これらの条件をすべて満たした場合、ＩＣカード１５０はマイコン４００に対し許可又は拒否、拒否の場合その理由を示すコードを返信する。
【０１４４】
そして、図６の（ｃ）に示されるように、マイコン４００はその返信結果にしたがってＯＳＤ上にメッセージとしての画像７６０を表示する。
【０１４５】
一方、ＩＣカード１５０内のメモリ６４１に電子通貨に関する情報を格納している電子通貨制御装置６４０は、使用された残高を算出するとともに、使用された結果の電子通貨そのものの他、口座番号、暗証番号、口座残金等の情報を暗号化して出力する。
【０１４６】
この際に、電子通貨制御装置６４０により出力される情報が、本出願の特許請求の範囲に記載の電子決済に対応する情報に含まれる情報である。
【０１４７】
電子通貨制御装置６４０による、上記使用された残高、使用された結果の電子通貨そのものの他、口座番号、暗証番号、口座残金等の情報の暗号化は、図５に示されるマスタ鍵６３１を用いて行われる。
【０１４８】
マイコン４００はこれを受けて、モデム５７０を制御して暗号化された電子通貨と購入情報を、電子決済処理の指示と共に顧客管理センタ１７０内の受信サーバ２７０へアップロードする。この際に受信端末１３０から顧客管理センタ１７０に送信される情報は、本出願の特許請求の範囲に記載の電子通貨の処理についての情報に含まれる情報である。
【０１４９】
顧客管理センタ１７０は金融機関１８０に電子通貨を転送することで電子通貨決済を完了する。
【０１５０】
（電子通貨の補充動作）
次に、ＩＣカード１５０内のメモリ６４１に保存する電子通貨の残高が少なくなった場合又は無くなった場合について図７を参照して説明する。なお、本実施形態の補充には、前述のように、電子通貨の追加も含まれる。
【０１５１】
図７は、本発明に係るデジタル放送システムの一実施形態において、アプリケーションプログラムによる電子通貨の補充の実行動作を示す動作概略図である。
【０１５２】
図７において、８００は通常のテレビ映像、８１０及び８４０、８６０は入金を行うアプリケーションにより表示される画像、８２０はボタン、８３０は選択されたボタン、８５０は暗証番号入力欄である。
【０１５３】
ＩＣカード１５０内のメモリ６４１に保存する電子通貨の残高が少なくなった場合又は無くなった場合、電子通貨制御装置６４０は残高不足のメッセージを発行する。マイコン４００はＩＣカード１５０内のシリアルＩ／Ｆ６００を介しこれを検出する。
【０１５４】
図７の（ａ）に示されるように、マイコン４００はＭＰＥＧ２デコーダ５１０のＯＳＤ機能を使用しメッセージを生成し、図７に示す入金を行うアプリケーションによる画像を表示する。
【０１５５】
これに視聴者が呼応し、視聴者がキー４１０とリモコン４３０を用いて金額を入力して電子通貨の送金を指示した場合、図７の（ｂ）に示されるように、マイコン４００はＭＰＥＧ２デコーダ５１０のＯＳＤ機能を使用し暗証番号入力欄８５０を表示し、暗証番号の入力を要求する。
【０１５６】
そして、視聴者によって入力された暗証番号をマイコン４００はＩＣカード１５０内にある電子通貨制御装置６４０に転送し、認証を行い正しく認証できた場合、ＩＣカード１５０はその旨のメッセージをマイコン４００に返信する。
【０１５７】
次に、図７の（ｃ）に示されるように、視聴者は入金を行うアプリケーションにより表示された画面８６０にしたがって、要求金額を入力する。
【０１５８】
マイコン４００はＩＣカード１５０内の電子通貨制御装置６４０から、マスタ鍵６３１によって暗号化された口座番号、暗証番号、口座残金等の情報をモデム５７０に転送し、モデム５７０を制御して電子通貨の送金要求を顧客管理センタ１７０内の受信サーバ２７０へアップロードする。この際に受信端末１３０から顧客管理センタ１７０に送信される情報は、本出願の特許請求の範囲に記載の電子通貨の処理についての情報に含まれる情報である。
【０１５９】
受信サーバ２７０は受信した各受信端末１３０からのＩＣカード番号、電子通貨６４０の送金要求、金額、暗証番号等を抽出し、マスタ鍵３４５で復号して顧客情報管理装置２８０へ転送する。
【０１６０】
個別情報生成装置２９０は顧客情報管理装置２８０からの制御情報に応じて、顧客情報管理装置２８０が出力する顧客情報を用いて金融機関１８０に照会し、所定の電子通貨を受け取り、ＩＣカード番号毎に紐付けし、これらとそれぞれの個別情報とワーク鍵生成装置３７０で発行されたワーク鍵（Ｋｗ）を多重化し電子通貨を含む個別暗号化情報３３０を出力する。
【０１６１】
この際に、個別情報生成装置２８０により生成される個別情報が、本出願の特許請求の範囲に記載の電子通貨に関する情報が含められた個別情報となる。
【０１６２】
そして、受信端末１３０はこの電子通貨を含む個別暗号化情報３３０を受信することで、ＩＣカード１５０内のメモリ６４１に格納されている電子通貨を補充する。すなわち、電子通貨制御装置６４０は、受信した電子通貨に基づいて、メモリ６４１に格納されている電子通貨に関する情報を書き換える。
【０１６３】
また、既に市場にある受信端末１３０は、受信端末１３０内のフラッシュメモリ４５０に格納されているプログラムを、放送衛星１１０の電波を使って書き換える機能を有している。しかも、電子通貨決済のためのプログラム容量は大きくないため、受信端末１３０内のフラッシュメモリ４５０の空き容量に収納可能である。
【０１６４】
本実施形態では、放送衛星１１０の電波によって、電子通貨決済対応のプログラムをダウンロードすることで、受信端末１３０を買い換えることなく、視聴者に費用を負担させることなく、電子通貨決済の可能な受信端末１３０に移行が可能である。
【０１６５】
図６に示した例では、テレビ映像に連動した双方向アプリケーションを使って電子通貨決済を行ったが、常時、双方向アプリケーションを送出しておくことにより、テレビ映像と連動しない双方向アプリケーションを使って電子通貨決済を行うことも可能である。
【０１６６】
本発明をデジタル放送システムにおける電子通貨を伝送するデジタル放送装置に適用した場合について説明したが、他のデジタル放送、例えば、ケーブルテレビや光ファイバやＡＤＳＬ（Ａｓｙｎｃｈｒｏｎｏｕｓ  Ｄｉｇｉｔａｌ  Ｓｕｂｓｃｒｉｂｅｒ  Ｌｉｎｅ）を使ったデジタル放送にも適用可能である。
【０１６７】
また、上記実施形態では、ＩＣカードとして特に限定しなかったが、ＩＣカードは、受信端末１３０に対して接触型であっても非接触型であっても良い。
【０１６８】
また、上記実施形態では、例えば商品の購入等の電子決済について電子通貨を利用したが、例えば放送を視聴したことに対する課金処理においても電子通貨を利用した電子決済を行なうとしても良い。
【０１６９】
このように、本発明を適用することによって、各受信端末毎に個別に生成され伝送される個別暗号化情報に電子通貨を添付して送信することにより、安価に、匿秘性を保ちながら、電子通貨の授受及び決済を行うことのできるデジタル放送と連動した電子通貨決済サービスが実現可能な電子通貨を伝送するデジタル放送システムを提供することができる。
【０１７０】
加えて、既に市場にある受信端末を使用し利用者に新たな経済的負担を強いることなく、双方向アプリケーションと連携させることにより円滑な電子通貨決済の環境を提供することができる。
【０１７１】
【発明の効果】
本発明によれば、各受信端末毎に個別に生成され伝送される個別暗号化情報に電子通貨を添付して送信することにより、安価に、匿秘性を保ちながら、電子通貨の授受及び決済を行うことのできるデジタル放送と連動した電子通貨決済サービスが実現可能な電子通貨を伝送するデジタル放送システムを提供することができる。
【０１７２】
加えて、既に市場にある受信端末を使用し利用者に新たな経済的負担を強いることなく、双方向アプリケーションと連携させることにより円滑な電子通貨決済の環境を提供することができる。
【図面の簡単な説明】
【図１】本発明に係るデジタル放送システムの一実施形態の全体構成図である。
【図２】図１に示した放送センタ１００及び顧客管理センタ１７０の内部構成を示すブロック図である。
【図３】図２に示される暗号化情報生成装置３００の内部構成を示すブロック図である。
【図４】図１に示す受信端末１３０の内部構成を示すブロック図である。
【図５】図１に示されるＩＣカード１５０の内部構成を示すブロック図である。
【図６】本発明に係るデジタル放送システムの一実施形態において、アプリケーションプログラムによる電子通貨決済の実行動作を示す動作概略図である。
【図７】本発明に係るデジタル放送システムの一実施形態において、アプリケーションプログラムによる電子通貨の補充の実行動作を示す動作概略図である。
【符号の説明】
１００  放送センタ
１１０  放送衛星
１２０  パラボラアンテナ
１３０  受信端末
１４０  テレビ
１５０  ＩＣカード
１６０  公衆電話回線網（ネットワーク）
１７０  顧客管理センタ
１８０  金融機関
２００  ビデオサーバ
２１０  圧縮装置
２２０  多重化装置（多重化手段）
２２１  番組情報生成装置
２２２  双方向データサーバ
２３０  暗号化装置（第３の暗号化手段）
２４０  変調装置（変調手段）
２５０  放送波出力端子
２６０  公衆回線接続端子
２７０  受信サーバ（受信手段）
２８０  顧客情報管理装置
２９０  個別情報生成装置（個別情報生成手段）
３００  暗号化情報生成装置
３１０  暗号鍵
３２０  共通暗号化情報
３３０  個別暗号化情報
３４０  マスタ鍵生成装置（マスタ鍵生成手段）
３４５  マスタ鍵
３５０  ＥＭＭ多重化装置
３６０  ＥＭＭ暗号化装置（第２の暗号化手段）
３７０  ワーク鍵生成装置（ワーク鍵生成手段）
３８０  スクランブル鍵生成装置（スクランブル鍵生成手段）
３９０  ＥＣＭ暗号化装置（第１の暗号化手段）
４００  マイコン（受信端末送信手段）
４１０  キー
４２０  ＬＥＤ
４３０  リモコン
４４０  メモリ（記録媒体）
４５０  フラッシュメモリ（記録媒体）
４６０  システムバス
４７０  チューナ
４８０  デスクランブラ
５００  トランスポートデコーダ
５１０  ＭＰＥＧ２デコーダ
５２０  オーディオＤＡＣ
５３０  ビデオエンコーダ
５４０  アンテナ入力端子
５５０  音声出力端子
５６０  映像出力端子
５７０  モデム
５８０  回線接続端子
６００  シリアルＩ／Ｆ
６１０  復号装置
６２０  ＥＭＭ復号装置（復号手段）
６３０  メモリ（記録媒体）
６３１  マスタ鍵
６４０  電子通貨制御装置（電子通貨制御手段）
６４１  メモリ（ＩＣカード格納手段）
６５０  契約情報制御装置
６５１  メモリ
６６０  視聴契約判定装置
７００  通常のテレビ映像
７１０  画像
７２０  ボタン
７３０  選択されたボタン
７４０  画像
７５０  暗証番号入力欄
７６０  画像
８００  通常のテレビ映像
８１０  画像
８２０  ボタン
８３０  選択されたボタン
８４０  画像
８５０  暗証番号入力欄
８６０  画像
【図１】
0003762691.tif 000002
【図２】
0003762691.tif 000003
【図３】
0003762691.tif 000004
【図４】
0003762691.tif 000005
【図５】
0003762691.tif 000006
【図６】
0003762691.tif 000007
【図７】
0003762691.tif 000008